(57)【要約】【課題】  優れた画像再現性及び広範な色再現性を実現するインクジェット記録用水性インクセットを提供する。【解決手段】  少なくとも、イエローインク、マゼンタインク及びシアンインクを備えたインクジェット記録用水性インクセットであって、イエローインク、マゼンタインク及びシアンインクの少なくとも１種が、色相角ｈが、該インクのノーマルカラーの色域を挟んで互いに異なる第１のインクと第２のインクを備えている。好ましくは、イエローインクとして、色相角ｈが９５〜１１０°のレモン味イエローインクと、色相角ｈが７０〜８５°のオレンジ味イエローインクを備え、マゼンタインクとして、色相角ｈが０〜１０°の赤味マゼンタインクと、色相角ｈが３４０〜３５０°の紫味マゼンタインクを備え、シアンインクとして、色相角ｈが２５０〜２６０°である青味シアンインクと、色相角ｈが２３０〜２４０°である緑味シアンインクを備える。【選択図】  なし【特許請求の範囲】
【請求項１】
少なくともイエローインク、マゼンタインク及びシアンインクを備えたインクジェット記録用水性インクセットであって、イエローインク、マゼンタインク及びシアンインクの少なくとも１種のカラーインクとして、色相角ｈが、該インクのノーマルカラーの色域を挟んで互いに異なる第１のインクと第２のインクを備えているインクジェット記録用水性インクセット。
【請求項２】
イエローインクとして、色相角ｈが９５〜１１０°であるレモン味イエローインクと、色相角ｈが７０〜８５°であるオレンジ味イエローインクを備えている請求項１記載のインクジェット記録用水性インクセット。
【請求項３】
マゼンタインクとして、色相角ｈが０〜１０°である赤味マゼンタインクと、色相角ｈが３４０〜３５０°である紫味マゼンタインクを備えている請求項１記載のインクジェット記録用水性インクセット。
【請求項４】
シアンインクとして、色相角ｈが２５０〜２６０°である青味シアンインクと、色相角ｈが２３０〜２４０°である緑味シアンインクを備えている請求項１記載のインクジェット記録用水性インクセット。
【請求項５】
イエローインクとして、色相角ｈが９５〜１１０°であるレモン味イエローインクと、色相角ｈが７０〜８５°であるオレンジ味イエローインクを備え、マゼンタインクとして、色相角ｈが０〜１０°である赤味マゼンタインクと、色相角ｈが３４０〜３５０°である紫味マゼンタインクを備えている請求項１記載のインクジェット記録用水性インクセット。
【請求項６】
マゼンタインクとして、色相角ｈが０〜１０°である赤味マゼンタインクと、色相角ｈが３４０〜３５０°である紫味マゼンタインクを備え、シアンインクとして、色相角ｈが２５０〜２６０°である青味シアンインクと、色相角ｈが２３０〜２４０°である緑味シアンインクを備えている請求項１記載のインクジェット記録用水性インクセット。
【請求項７】
イエローインクとして、色相角ｈが９５〜１１０°であるレモン味イエローインクと、色相角ｈが７０〜８５°であるオレンジ味イエローインクを備え、シアンインクとして、色相角ｈが２５０〜２６０°である青味シアンインクと、色相角ｈが２３０〜２４０°である緑味シアンインクを備えている請求項１記載のインクジェット記録用水性インクセット。
【請求項８】
イエローインクとして、色相角ｈが９５〜１１０°であるレモン味イエローインクと、色相角ｈが７０〜８５°であるオレンジ味イエローインクを備え、マゼンタインクとして、色相角ｈが０〜１０°である赤味マゼンタインクと、色相角ｈが３４０〜３５０°である紫味マゼンタインクを備え、シアンインクとして、色相角ｈが２５０〜２６０°である青味シアンインクと、色相角ｈが２３０〜２４０°である緑味シアンインクを備えている請求項１記載のインクジェット記録用水性インクセット。
【発明の詳細な説明】
【技術分野】
【０００１】
本発明は、複数のインクから構成されるインクジェット記録用水性インクセットに関する。
【背景技術】
【０００２】
インクジェット記録方式でカラー画像を表現する場合、一般に、イエローインク（Ｙ）、マゼンタインク（Ｍ）及びシアンインク（Ｃ）の３色のインクから構成されるインクセット、あるいは、さらにブラックインク（Ｋ）を加えた４色のインクから構成されるインクセットが用いられている。
【０００３】
このインクセットを用いたカラー画像の形成では、幅広い自然色の画像を表現するために、色相（即ち、赤や青等の所謂色）を、ヘッドから吐出するイエローインク、マゼンタインク及びシアンインクの各インクのドット形成比率を変えることによって制御し、明度（即ち、明るさ）を、各インクのドット形成密度を変えることによって制御している。
【０００４】
また最近では、複数のインクの組み合わせによって優れた画像再現性と広範な色再現性を得るために、前記４色のインク（Ｙ、Ｍ、Ｃ、Ｋ）に加えて、色濃度の低いイエロー（ライトイエロー）インク、色濃度の低いマゼンタ（ライトマゼンタ）インク又は色濃度の低いシアン（ライトシアン）インクを加えた合計５〜７色のインクからインクセットを構成することがなされており、さらに、前記４色のインク（Ｙ、Ｍ、Ｃ、Ｋ）に加えて、ブルーインク（Ｂ）、バイオレットインク（Ｖ）、レッドインク（Ｒ）、オレンジインク（Ｏ）及びグリーンインク（Ｇ）の少なくとも１種を用いることが提案されている（特許文献１）。
【０００５】
【特許文献１】特開２０００−２４８２１７号公報
【発明の開示】
【発明が解決しようとする課題】
【０００６】
しかしながら、従前の４色のインク（Ｙ、Ｍ、Ｃ、Ｋ）に、色濃度の低いライトイエロー、ライトマゼンタ又はライトシアンのインクを加えた場合でも、ブルーインク（Ｂ）、バイオレットインク（Ｖ）、レッドインク（Ｒ）、オレンジインク（Ｏ）及びグリーンインク（Ｇ）の追加インクを加えた場合でも、インクジェット記録カラー画像において、目的とする色度や彩度を得られない場合がある。
【０００７】
これに対し、本発明は、インクセットを構成する各インクが良好な発色性を有し、かつそれらの組み合わせにより良好な中間色を発色させることができ、優れた画像再現性と広範な色再現性を実現することのできるインクジェット記録用水性インクセットを提供することを目的とする。
【課題を解決するための手段】
【０００８】
本発明者らは、少なくともイエローインク、マゼンタインク及びシアンインクからなるインクジェット記録用水性インクセットにおいて、イエローインク、マゼンタインク及びシアンインクの少なくとも１種のカラーインクとして、該インクのノーマルカラーのインクは使用せず、該インクのノーマルカラーの色域を挟んで色相角ｈが互いに異なる第１のインクと第２のインクを使用すると、これらのインクはそれ自体で、該インクの色域において良好な発色性を有することに加え、他のインクとの組み合わせにより良好な中間色を発色し、インクジェット記録用水性インクセットとして、優れた画像再現性及び広範な色再現性を実現することを見出した。
【０００９】
即ち、本発明は、少なくとも、イエローインク、マゼンタインク及びシアンインクを含むインクジェット記録用水性インクセットであって、イエローインク、マゼンタインク及びシアンインクの少なくとも１種のカラーインクとして、色相角ｈが、該インクのノーマルカラーの色域を挟んで互いに異なる第１のインクと第２のインクを備えているインクジェット記録用水性インクセットを提供し、より具体的には、イエローインクとして、色相角ｈが９５〜１１０°であるレモン味イエローインクと、色相角ｈが７０〜８５°であるオレンジ味イエローインクを備えている態様、マゼンタインクとして、色相角ｈが０〜１０°である赤味マゼンタインクと、色相角ｈが３４０〜３５０°である紫味マゼンタインクを備えている態様、また、シアンインクとして、色相角ｈが２５０〜２６０°である青味シアンインクと、色相角ｈが２３０〜２４０°である緑味シアンインクを備えている態様を提供する。
【発明の効果】
【００１０】
本発明のインクジェット記録用水性インクセットは、カラー画像の表現で用いられる、イエロー（Ｙ）、マゼンタ（Ｍ）及びシアン（Ｃ）の各カラーインクの少なくとも１つが、該インクのノーマルカラーの色域を挟んで互いに異なる第１のインクと第２のインクからなっており、これら第１のインクと第２のインクは、各インク自体の色域において良好な発色性を有し、さらにこれらを相互に組み合わせることにより、また、他のインクと組み合わせることにより、良好な中間色を発色する。したがって、本発明のインクジェット記録用水性インクセットによれば、優れた画像再現性と広範な色再現性を得られる。
【発明を実施するための最良の形態】
【００１１】
以下、本発明を詳細に説明する。
【００１２】
本発明のインクジェット記録用水性インクセットは、少なくとも、イエローインク、マゼンタインク及びシアンインクを備え、このうちの少なくとも１つのインクが、該インクのノーマルカラーの色域を挟んで互いに異なる第１のインクと第２のインクからなることを特徴としている。ここで、ノーマルカラーとは、従来のイエロー（Ｙ）、マゼンタ（Ｍ）及びシアン（Ｃ）の各カラーインクの単インクを用いて得られる色をいい、より具体的には、イエローの場合、明度Ｌ*が８５〜９０で色相角ｈが８５°を超え９５°未満、マゼンタの場合、明度Ｌ*が４０〜６０で色相角ｈが３５０°を超え３６０°未満、シアンの場合、明度Ｌ*が５０〜６５で色相角ｈが２４０°を超え２５０°未満の色域をいう。
【００１３】
なお、本発明において各インクの色相角ｈの数値は、該インクをインクジェットプリンタで、解像度１２００×１２００ｄｐｉの領域が１００％被覆されるように印刷（ベタ印刷）した印字物を分光測色計で測色することにより得られるものである。この場合、印字に使用する記録紙は、実量６５〜１００ｇ／ｃｍ２、紙厚８０〜１１０μｍ、白色度８０％以上、不透明度７５％以上のものとする。このような仕様の記録紙の具体例としては、ＧＲＥＡＴＷＨＩＴＥ製のＭｕｌｔｉ ＵＳＥ ２０ＰＡＰＥＲ、Ｍ−ｒｅａｌ製のＤａｔａ Ｃｏｐｙ、ＸＥＲＯＸ製の４２００ ＤＰ ２０ｌｂ等が挙げられるが、これらに限定されるものではない。
【００１４】
また、印字物のベタ印刷に使用できるインクジェットプリンタとしては、ブラザー工業（株）製のインクジェットプリンタ搭載デジタル複合機ＭＦＣ−３１００Ｃ等をあげることができ、分光測色計としては、スガ試験機（株）製のＳＣ−ＴやＧｒｅｔａｇ Ｍａｃｂｅｔｈ社製Ｓｐｅｃｔｒｏｌｉｎｏ等を使用することができる。色相角ｈを測定する測色条件は、光源はＤ65、視野角は２°とし、Ｌ*値は、イエロー系インク（レモン味イエローインク、オレンジ味イエローインク、イエローインク）でＬ*＝８５〜９０、マゼンタ系インク（赤味マゼンタインク、紫味マゼンタインク、マゼンタインク）でＬ*＝４０〜６０、シアン系インク（青味シアンインク、緑味シアンインク、シアンインク）でＬ*＝５０〜６５とする。
【００１５】
本発明のインクセットにおいて、イエローインク、マゼンタインク又はシアンインクのノーマルカラーのインクに代えて、色相角ｈが、該ノーマルカラーのインクの色域を挟んで互いに異なる第１のインクと第２のインクを使用する場合に、これら第１のインクと第２のインクは、該ノーマルカラーのインクと同系の色相のものとする。
【００１６】
そこで、イエローインクとしてノーマルイエローの色域を挟む第１のインクと第２のインクを使用する場合、これらの第１のインクと第２のインクとしては、色相角ｈが９５〜１１０°であるレモン味イエローインクと、色相角ｈが７０〜８５°であるオレンジ味イエローインクを使用することが好ましい。第１のインクの色相角ｈが９５°より小さいと、第２のインクを使用してもイエロー色の色再現性が広がらなくなり、第１のインクの色相角ｈが１１０°より大きいと、第２のインクを使用してもイエロー色の色再現性が広がらず、さらにノーマルイエローの色域を表現できなくなる。また、第２のインクの色相角ｈが７０°より小さいと、第１のインクを使用してもイエロー色の色再現性が広がらず、さらにノーマルイエローの色域を表現できなくなり、第２のインクの色相角ｈが８５°より大きいと、第１のインクを使用してもイエロー色の色再現性が広がらなくなる。
【００１７】
マゼンタインクとしてノーマルマゼンタの色域を挟む第１のインクと第２のインクを使用する場合、これらの第１のインクと第２のインクとしては、色相角ｈが０〜１０°である赤味マゼンタインクと、色相角ｈが３４０〜３５０°である紫味マゼンタインクを使用することが好ましい。第１のインクの色相角ｈが０°より小さいと、第２のインクを使用してもマゼンタ色の色再現性が広がらなくなり、第１のインクの色相角ｈが１０°より大きいと、第２のインクを使用してもマゼンタ色の色再現性が広がらず、さらにノーマルマゼンタの色域を表現できなくなる。また、第２のインクの色相角ｈが３４０°より小さいと、第１のインクを使用してもマゼンタ色の色再現性が広がらず、さらにノーマルマゼンタの色域を表現できなくなり、第２のインクの色相角ｈが３５０°より大きいと、第１のインクを使用してもマゼンタ色の色再現性が広がらなくなる。
【００１８】
同様に、シアンインクとしてノーマルシアンの色域を挟む第１のインクと第２のインクを使用する場合、これらの第１のインクと第２のインクとしては、色相角ｈが２５０〜２６０°である青味シアンインクと、色相角ｈが２３０〜２４０°である緑味シアンインクを使用することが好ましい。第１のインクの色相角ｈが２５０°より小さいと、第２のインクを使用してもシアン色の色再現性が広がらなくなり、第１のインクの色相角ｈが２６０°より大きいと、第２のインクを使用してもシアン色の色再現性が広がらず、さらにノーマルシアンの色域を表現できなくなる。また、第２のインクの色相角ｈが２３０°より小さいと、第１のインクを使用してもシアン色の色再現性が広がらず、さらにノーマルシアンの色域を表現できなくなり、この第２のインクの色相角ｈが２４０°より大きいと、第１のインクを使用してもシアン色の色再現性が広がらなくなる。
【００１９】
本発明のインクセットでは、イエローインク、マゼンタインク、シアンインクのいずれか、または任意の複数のインクを、上述のノーマルカラーの色域を挟む第１と第２のインクから構成することができ、イエローインク、マゼンタインク、シアンインクの全てを、各インクのノーマルカラーの色域を挟む第１と第２のインクから構成してもよい。
【００２０】
インクジェット記録用インクセットを構成する各インクは、それぞれ、少なくとも水、着色剤及び水溶性有機溶剤を含む。
【００２１】
各インクで使用する着色剤は、水溶性染料又は顔料の何れであってもよいが、発色性に優れる点から水溶性染料が好ましい。また、各インクで使用する着色剤の種類は、単独でもよく、複数でもよい。
【００２２】
より具体的には、色相角ｈが９５〜１１０°のレモン味イエローインクを１種の着色剤から形成する場合、その着色剤としては色相角ｈが９５〜１１０°のＣ．Ｉ．アシッドイエロー２３、Ｃ．Ｉ．ダイレクトイエロー１３２及び１４２等の水溶性染料が挙げられ、色相角ｈが７０〜８５°のオレンジ味イエローインクを１種の着色剤から形成する場合、その着色剤としては色相角ｈが７０〜８５°のＣ．Ｉ．アシッドイエロー９９、Ｃ．Ｉ．ダイレクトイエロー８６等の水溶性染料が挙げられる。
【００２３】
色相角ｈが０〜１０°の赤味マゼンタインクを１種の着色剤から形成する場合、その着色剤としては色相角ｈが０〜１０°のＣ．Ｉ．ダイレクトレッド８０等の水溶性染料が挙げられ、色相角ｈが３４０〜３５０°の紫味マゼンタインクを１種の着色剤から形成する場合、その着色剤としては、Ｃ．Ｉ．アシッドレッド２５４等の水溶性染料が挙げられる。
【００２４】
色相角ｈが２３０〜２４０°の緑味シアンインクの着色剤は、色相角ｈが２４０〜２５０°のＣ．Ｉ．アシッドブルー９、Ｃ．Ｉ．ダイレクトブルー８６，８７及び１９９等の水溶性染料と、色相角ｈが１９０〜２１０°のＣ．Ｉ．アシッドグリーン３，１５及び２５等のグリーン水溶性染料との併用により調製することができる。
【００２５】
色相角ｈが２５０〜２６０°の青味シアンインクを１種の着色剤から形成する場合、その着色剤としては、色相角ｈが２５０〜２６０°のＣ．Ｉ．アシッドブルー１１２等の水溶性染料が挙げられる。
【００２６】
なお、本発明のインクセットにおいて、ノーマルカラーのイエローインク、マゼンタインク、又はシアンインクを使用する場合、これらを形成する着色剤には、従来のノーマルカラーのインクで使用されているものを使用することができる。
【００２７】
また、本発明のインクセットには、必要に応じてブラックインクを含めることができる。ブラックインクの着色剤としては、例えば、ＭＡ８、ＭＡ１００（三菱化成(株)製）、カラーブラックＦＷ２００(デグサ製)等のカーボンブラックを使用することができる。また、カーボンブラックとしては、分散剤を用いなくても水に分散可能な自己分散型のものを用いてもよい。自己分散型カーボンブラックは、その表面に、カルボニル基、カルボキシル基、ヒドロキシル基又はスルホン基のような少なくとも一種の親水基又はその塩を結合させる処理をすることによって得ることができる。この表面処理の具体例としては、特開平８−３４９８号公報及び特表２０００−５１３３９６号公報に記載の方法を挙げることができる。また、自己分散黒色顔料としては、例えば、ＣＡＢ−Ｏ−ＪＥＴ（登録商標）２００及び３００(キャボット製)、ボンジェット（登録商標）ＣＷ１(オリエント化学工業(株)製)等の市販品を利用することも可能である。
【００２８】
各インク中の着色剤の含有量は、水溶性染料の場合、染料固形分量としてインク全量に対して０．１〜２０重量％、好ましくは０．５〜１０重量％、より好ましくは２〜５重量％の範囲である。０．１重量％未満であると発色が劣るため好ましくなく、一方、２０重量％を超えるとインクジェット記録用ヘッドのノズル等の目詰まり、着色剤の析出が生ずるため好ましくない。
【００２９】
各インク中の水溶性有機溶剤としては、低臭気性且つ低蒸気圧の多価アルコールモノアルキルエーテルを使用することが望ましい。多価アルコールモノアルキルエーテルは、記録紙へのインク浸透速度を効果的に速める浸透剤として作用する。これにより、インクの紙面上での乾燥性を向上させ、記録紙上での遅乾性に起因するブリーディング（異なる色の境界でのにじみ）を防止し、且つ、浸透に伴うフェザリング（紙の繊維に沿ったヒゲ状のにじみ）を起こし難くすることができる。
【００３０】
多価アルコールモノアルキルエーテルの具体例としては、ジエチレングリコールメチルエーテル、ジエチレングリコールブチルエーテル、ジエチレングリコールイソブチルエーテル、ジプロピレングリコールメチルエーテル、ジプロピレングリコールプロピルエーテル、ジプロピレングリコールイソプロピルエーテル、ジプロピレングリコールブチルエーテル、トリエチレングリコールメチルエーテル、トリエチレングリコールブチルエーテル、トリプロピレングリコールメチルエーテル、トリプロピレングリコールブチルエーテル等が挙げられる。
【００３１】
多価アルコールモノアルキルエーテルの好ましい含有量は、各インク全量に対して０．３〜１５重量％、より好ましくは０．４〜１０重量％の範囲である。０．３重量％未満であると、インクの記録紙への浸透速度が遅く、乾燥時間、滲みに問題を生じ易く、一方、１５重量％を超えると、インクの記録紙への浸透が激しくなり、記録紙の裏までインクが達したり、滲みにも問題を生じ易くなる。
【００３２】
インクの記録紙への浸透、乾燥性を制御する浸透剤としては、エタノール、イソプロピルアルコール等の１価アルコールを使用することも可能である。
【００３３】
各インクに使用する水は、イオン交換水、蒸留水等の純度の高いものを使用することが好ましい。水の好ましい含有量は、各インク全量に対して１０〜９８重量％、より好ましくは３０〜９７重量％、さらに好ましくは４０〜９５重量％の範囲である。１０重量％未満であるとインクの粘度が上昇するため噴射が困難となり易く、反対に９８重量％を越えると水分蒸発によって着色剤の析出、凝集などが生じてインクジェット記録ヘッドのノズルの目詰まりが起きやすくなるため好ましくない。
【００３４】
各インクには、以上の各成分の他、必要に応じて、各種分散剤、粘度調整剤、表面張力調整剤、ｐＨ調整剤、防腐防カビ剤等を添加することができる。
【００３５】
本発明のインクジェット記録用水性インクセットは、静電吸引方式、圧電素子を用いる方式、サーマル方式などのインクジェット記録方法に適用することができる。
【実施例】
【００３６】
以下、本発明を実施例に基づいて具体的に説明する。
実施例１〜７、比較例１〜１３
【００３７】
（１）インクの調製
レモン味イエローインクＹＬ−１を、表１Ａに示したインク組成となるように次のように調製した。まず、水７７重量部、グリセリン１８重量部、ジプロピレングリコールプロピルエーテル２重量部を混合してインク溶媒９７重量部を調製した。次いで、このインク溶媒の攪拌中に、Ｃ．Ｉ．アシッドイエロー２３  ３重量部を加え、さらに３０分間撹拌し、孔径２．５μｍのメンブランフィルターにて濾過し、レモン味イエローインクＹＬ−１を得た。
【００３８】
レモン味イエローインクＹＬ−１に準じて、表１Ａ〜表１Ｃに示したインク組成のインクを調製した。
【００３９】
（２）色相角ｈ測定
調製した各インクをそれぞれインクカートリッジに充填し、インクジェットプリンタ搭載デジタル複合機（ブラザー工業（株）製；ＭＦＣ−３１００Ｃ）に装着し、記録紙（ＧＲＥＡＴＷＨＩＴＥ製；Ｍｕｌｔｉ ＵＳＥ ２０ＰＡＰＥＲ）に、解像度１２００×１２００ｄｐｉの領域が１００％被覆されるように印刷した。
【００４０】
得られた印字物について、イエロー系インクの印字物はＬ*＝８５〜９０、マゼンタ系インクの印字物はＬ*＝４０〜６０、シアン系インクの印字物はＬ*＝５０〜６５における色相角ｈ（光源：Ｄ65、視野角：２°）を、分光測色計（スガ試験機（株）；ＳＣ−Ｔ）を使用して測定した。測定結果を表１Ａ〜表１Ｃに示す。
【００４１】
【表１Ａ】
2006160924.tif 000002
【００４２】
【表１Ｂ】
2006160924.tif 000003
【００４３】
【表１Ｃ】
2006160924.tif 000004
【００４４】
（３）印字試験
表１Ａ〜表１Ｃに示したインクと、市販のノーマルイエローインク（ブラザー工業（株）製ＭＦＣ−３１００Ｃ用インクカートリッジＬＣ２１Ｙ（色相角ｈ＝９３°））、ノーマルマゼンタインク（ブラザー工業（株）製ＭＦＣ−３１００Ｃ用インクカートリッジＬＣ２１Ｍ（色相角ｈ＝３５４°））及びノーマルシアンインク（ブラザー工業（株）製ＭＦＣ−３１００Ｃ用インクカートリッジＬＣ２１Ｃ（色相角ｈ＝２４４°））を、表２及び表３に示した通りに組み合わせ、実施例及び比較例のインクセットとした。
【００４５】
各インクをインクカートリッジに充填し、プリンタとしてインクジェットプリンタ搭載デジタル複合機（ブラザー工業（株）製；ＭＦＣ−３１００Ｃ）を使用して、評価紙（富士写真フィルム（株）製；画彩（登録商標）光沢仕上げ）に以下の方法で、所定のＬ*値の種々の色相を含むパッチパターンを印字し、色再現性評価を行った。
【００４６】
即ち、実施例１〜３及び比較例１〜１３ではインクセットを構成するインクカートリッジが４個以下となるため、プリンタにインクセットを構成するインク数分のインクカートリッジを装填し印字試験を行った。印刷に際しては、種々の色相を含むパッチパターンを印刷できるプリンタドライバを作成して用いた。
【００４７】
実施例４〜７に関しては、インクセットを構成するカートリッジが５個以上となるため、カートリッジを便宜的に２組に分け、各組ごとにプリンタにインクカートリッジを装填し、印字試験を行った。この場合、インクセットを構成するインクカートリッジの番号を、該インクの色相角が小さい順に１、２、３、４、５及び６とし、プリンタに、まず、インクカートリッジ１、２、３及び４の４個のインクカートリッジを装填して印字試験を行い、次いでプリンタに、先に使用したインクカートリッジの中でインクの色相角が最も大きいインクカートリッジ４と、まだ印字していないインクカートリッジ５及び６と、先に使用したインクカートリッジの中でインクの色相角が最も小さいインクカートリッジ１を加えた４個のインクカートリッジを装填し、印字試験を行った。印刷に際しては、種々の色相を含むパッチパターンを印刷できるプリンタドライバを作成して用いた。この印刷方法により、４個のインクカートリッジを装填できるプリンタを使用して、５個以上のインクカートリッジを一度に装填し、使用した場合と同様の印刷を行うことができる。
【００４８】
（４）色再現性評価
分光測色計としてＧｒｅｔａｇ  Ｍａｃｂｅｔｈ社製Ｓｐｅｃｔｒｏｌｉｎｏを用いて、（３）で印刷した各実施例及び比較例のパッチパターンを測色することにより、ａ*及びｂ*値を求め、Ｌ*が４０、５０、６０、７０及び８０における色再現面積を求めた。
【００４９】
実施例１と比較例１について、Ｌ*＝６０における色再現範囲をグラフにしたものを図１に示す。図１から、実施例１は比較例１に対して色再現範囲が拡大しており、特に黄色の色再現範囲が拡大していることがわかる。
【００５０】
各実施例及び比較例の色再現面積を比較例１の同一Ｌ*値における色再現面積と比較し、得られた結果から色再現性を次のように４段階に評価した。この結果を、表２及び表３に示す。
【００５１】
◎：１１０％を超える
○：１０５％を超え、１１０％以下
△：９０％を超え、１０５％以下
×：９０％以下
【００５２】
この評価では、各Ｌ*値において、◎又は○を含み、×又は△を含まない場合に、色再現性は、市販の比較例１のインクセットに比して優れていると考えられる。
【００５３】
表２及び表３の結果から、実施例１〜７のインクセットでは、各インク自体が良好な発色性を有していることに加え、複数のインクの組み合わせにより良好な中間色を発色させることができ、優れた画像再現性及び広範な色再現性を実現できること、特に、イエロー、マゼンタ又はシアンのノーマルカラーのインクに代えて、該ノーマルカラーの色域を挟む２種のインクを使用することにより、該ノーマルカラーを該ノーマルカラーのインクを使用した場合と同等以上に再現すること、また、明度Ｌ*が低い場合でも色再現性を向上させることが可能となる。
【００５４】
これに対して、比較例１〜１３のインクセットでは、良好な中間色を表現することができず、画像再現性及び色再現性も劣っている。即ち、比較例２では、比較例１のノーマルイエローインクに代えて、色相角がノーマルイエローの色域を挟む２種のインクを用いているが、これらはグリーンと朱色の色相を呈し、もはやイエロー系の範疇とはいえないため、色再現性評価が劣ったものとなっている。同様に、比較例３、９、１０、１１、１２のインクセットでも、ノーマルイエローインク、ノーマルマゼンタインク、ノーマルシアンインクに代えてそれぞれノーマルカラーの色域を挟む２種のインクを用いているが、２種のインクの少なくとも一方がもはやイエロー系、マゼンタ系、シアン系の範疇とはいえないため、色再現性評価が劣ったものとなっている。
【００５５】
比較例４では、シアンインクとして２種のインクを用いているが、これらはノーマルシアンの色域を挟んでおらず、比較例５では、３色のいずれのインクにもノーマルカラーのインクを用いており、比較例６では、ノーマルシアンの色域から外れる緑味シアンインクを用いているが、この緑味シアンインクと共にノーマルシアンの色域を挟む青味シアンインクを使用しておらず、比較例７、８、１３では、ノーマルカラーから色相角が過度に離れたインクを用いており、さらに比較例１３では、イエローインクとして、ノーマルカラーの色域から外れるオレンジ味インクを使用しているが、このオレンジ味インクと共にノーマルイエローの色域を挟むレモン味イエローインクを使用していないので、いずれも色再現性が劣ったものとなっている。
【００５６】
【表２】
2006160924.tif 000005
【００５７】
【表３】
2006160924.tif 000006
【産業上の利用可能性】
【００５８】
本発明のインクジェット記録用水性インクセットは、優れた画像再現性と広範な色再現性を実現する、インクジェット記録用プリンタに適したインクとなる。
【図面の簡単な説明】
【００５９】
【図１】実施例１と比較例１について、明度Ｌ*＝６０における色再現範囲を表したグラフである。
【図１】
2006160924.tif 000007